(57)【特許請求の範囲】
【請求項１】
ネットワーク上で、第１のサイトに掲載される広告表示を通じて第２のサイトに接続される端末装置と、
前記第２のサイトに接続した前記端末装置から少なくとも識別情報と経過情報を取得して、これらの情報を第２のサーバに送信するとともに、該第２のサーバから通知されたユーザ判別情報を前記端末装置内にある前記識別情報に付与する第１のサーバと、
前記第１のサーバから取得した前記識別情報と前記経過情報を記憶部に記憶させ、前記ユーザ判別情報を生成して前記識別情報に対応づけて前記記憶部に記憶させるとともに、前記ユーザ判別情報を前記第１のサーバに送信し、前記端末装置の前記識別情報に付与させる第２のサーバと、
を備え、
前記第１のサーバは、前記第２のサイトに接続している前記端末装置が設定条件を満たしたことを契機に前記端末装置にアクセスし、新たな識別情報を取得して前記第２のサーバに送信し、
前記第２のサーバは、新たに取得した前記識別情報に前記ユーザ判別情報が付与されていれば、該ユーザ判別情報と前記記憶部に格納された前記ユーザ判別情報とを対比して両者が一致することにより前記広告表示の成果情報を前記記憶部に記憶させることを特徴とする宣伝管理システム。
【請求項２】
前記第１のサーバは、前記端末装置が接続したときに取得した前記識別情報に前記ユーザ判別情報が含まれているか否かを確認し、この確認結果とともに前記識別情報を前記第２のサーバに通知し、
前記第２のサーバは、前記確認結果に基づいて新たに前記ユーザ判別情報を生成し、または前記記憶部のデータベースを参照し、前記データベース内に同一のユーザ判別情報がある場合には、同一内容または一部の内容を更新した前記ユーザ判別情報を前記第１のサーバに送信することを特徴とする請求項１に記載の宣伝管理システム。
【請求項３】
前記第２のサーバは、前記第１のサーバから取得した前記識別情報に前記ユーザ判別情報が含まれているか否かを確認し、この確認結果に基づいて新たに前記ユーザ判別情報を生成し、または前記記憶部のデータベースを参照し、前記データベース内に同一のユーザ判別情報がある場合には、同一内容または一部の内容を更新した前記ユーザ判別情報を前記第１のサーバに送信することを特徴とする請求項１に記載の宣伝管理システム。
【請求項４】
前記第２のサーバの前記記憶部には、前記広告表示を行う前記第１のサイトの特定情報と前記成果情報を含むデータベースを備えることを特徴とする請求項１ないし請求項３に記載の宣伝管理システム。
【請求項５】
前記第２のサーバは、前記端末装置によって設定条件が満たされるとともに、前記ユーザ判別情報の一致により前記成果情報の生成を契機に、前記記憶部に格納された同一の前記ユーザ判別情報を削除することを特徴とする請求項１ないし請求項４に記載の宣伝管理システム。
【請求項６】
第１のサイトに掲載される広告表示を通じて第２のサイトに接続した端末装置から取得した少なくとも識別情報と経過情報を、前記第２のサイトの管理サーバから受信するとともに、ユーザ判別情報を前記管理サーバに送信する通信部と、
前記管理サーバを通じて前記端末装置の前記識別情報に付与させる前記ユーザ判別情報を生成する処理部と、
前記管理サーバから取得した前記識別情報と前記経過情報を記憶するとともに、生成された前記ユーザ判別情報を前記識別情報に対応づけて記憶する記憶部と、
を備え、
前記通信部は、前記第２のサイトに接続している前記端末装置が設定条件を満たしたことを契機に取得された新たな識別情報を前記管理サーバから受信し、
前記処理部は、新たに取得した前記識別情報に前記ユーザ判別情報が付与されていれば、該ユーザ判別情報と前記記憶部に格納された前記ユーザ判別情報とを対比して両者が一致することにより前記広告表示の成果情報を生成し、該成果情報を前記記憶部に記憶させることを特徴とする宣伝管理装置。
【請求項７】
前記通信部は、前記端末装置が接続したときに取得した前記識別情報と、前記識別情報に前記ユーザ判別情報が含まれているか否かの確認結果を前記管理サーバから受信し、
前記処理部は、前記確認結果に基づいて新たにユーザ判別情報を生成し、または前記記憶部のデータベースを参照し、前記データベース内に同一のユーザ判別情報がある場合には、同一内容または一部の内容を更新した前記ユーザ判別情報を生成して、前記管理サーバに送信させることを特徴とする請求項６に記載の宣伝管理装置。
【請求項８】
前記処理部は、前記管理サーバから取得した前記識別情報に前記ユーザ判別情報が含まれているか否かを確認し、この確認結果に基づいて新たに前記ユーザ判別情報を生成し、または前記記憶部のデータベースを参照し、前記データベース内に同一のユーザ判別情報がある場合には、同一内容または一部の内容を更新した前記ユーザ判別情報を生成して、前記管理サーバに送信させることを特徴とする請求項６に記載の宣伝管理装置。
【請求項９】
コンピュータで実現するための宣伝管理プログラムであって、
第１のサイトに掲載される広告表示を通じて第２のサイトに接続した端末装置から取得した少なくとも識別情報と経過情報を、前記第２のサイトの管理サーバから取得して記憶部に格納させる機能と、
前記管理サーバを通じて前記端末装置の前記識別情報に付与させる前記ユーザ判別情報を生成する機能と、
取得した前記識別情報と前記経過情報を前記記憶部に格納させるとともに、生成された前記ユーザ判別情報を前記識別情報と対応づけて前記記憶部に格納させる機能と、
前記ユーザ判別情報を前記管理サーバに送信させる機能と、
前記第２のサイトに接続している前記端末装置が設定条件を満たしたことを契機に取得された新たな識別情報を前記管理サーバから取得する機能と、
新たに取得した前記識別情報に前記ユーザ判別情報が付与されていれば、該ユーザ判別情報と前記記憶部に格納された前記ユーザ判別情報とを対比する機能と、
新たに取得した前記識別情報に前記ユーザ判別情報と前記記憶部に格納された前記ユーザ判別情報が一致することにより前記広告表示の成果情報を生成する機能と、
を前記コンピュータに実行させることを特徴とする宣伝管理プログラム。
【請求項１０】
前記端末装置が接続したときに取得した前記識別情報と、前記識別情報に前記ユーザ判別情報が含まれているか否かの確認結果を前記管理サーバから取得する機能と、
前記確認結果に基づいて新たにユーザ判別情報を生成し、またはデータベース内に同一のユーザ判別情報がある場合には、同一内容または一部の内容を更新した前記ユーザ判別情報を生成して、前記管理サーバに送信させる機能と、
を含むことを特徴とする請求項９に記載の宣伝管理プログラム。
【請求項１１】
前記管理サーバから取得した前記識別情報に前記ユーザ判別情報が含まれているか否かを確認する機能と、
この確認結果に基づいて新たに前記ユーザ判別情報を生成し、または前記記憶部のデータベースを参照し、前記データベース内に同一のユーザ判別情報がある場合には、同一内容または一部の内容を更新した前記ユーザ判別情報を生成して、前記管理サーバに送信させる機能と、
を含むことを特徴とする請求項９に記載の宣伝管理プログラム。
【発明の詳細な説明】
【技術分野】
【０００１】
本発明は、アフィリエイトサービスの提供に関し、メディアに表示する宣伝広告を経由して誘導されるユーザの識別および契約等の成果の把握により、宣伝広告の効果の確認技術に関する。
【背景技術】
【０００２】
インターネットを通じて商品などの販売、その他サービスを提供などの契約、そのほか、実店舗でのサービスの提供を行うための予約処理などを行う商用サイトでは、広く集客するために、一般的なポータルサイトや他者が管理運営するウェブサイト、商品やサービスの分野ごとに宣伝広告を専門に掲載した宣伝サイトに宣伝広告表示を掲載するという手法がとられている。このような宣伝サイトは、アフィリエイトサービスと呼ばれる広告代理サービスを通じて提供される宣伝広告を掲載している。
【０００３】
アフィリエイトサービスは、たとえば宣伝サイトに掲載した宣伝広告表示によりユーザを商用サイトに誘導し、商品の売買契約の成立などの設定条件を満たすことで宣伝報酬を宣伝サイトに支払う。このアフィリエイトサービスでは、ユーザがどの宣伝サイトを通じて商用サイトを訪問し、その後、設定条件を満たす操作が行われるまでの経緯を追跡する必要がある。
【０００４】
このようなアフィリエイトサービスに関し、ユーザ端末装置が広告素材にアクセスしたときに、ユーザＰＣをアフィリエイトＡＳＰサーバに接続させ、アフェリエイター情報や広告主情報を有するクッキーを付けた後、広告主サイトの広告素材や商品にリダイレクト処理することで、アフィリエイトサイトから広告主サイトの商品などに直接アクセスしたように表示させるものがある（たとえば、特許文献１）。また、インターネット上において広告媒体サイト内の広告バナーがＰＣ端末や携帯端末によってクリックされた際に、アフィリエイトサーバが携帯端末を広告主サイトへリダイレクトし、端末に広告媒体サイトおよび広告主を関連付けたユニークキーをクッキーとしてデータベースに記録するものがある（たとえば、特許文献２）。
【先行技術文献】
【特許文献】
【０００５】
【特許文献１】特開２００７−１９３６１３号公報
【特許文献２】特開２０１０−２５０７５２号公報
【発明の概要】
【発明が解決しようとする課題】
【０００６】
ところで、このようなアフィリエイトサービスでは、宣伝広告に対する成果を把握するために、ネットワーク上でのユーザを追跡する目的で、ユーザの端末装置にアクセスし、行動情報を取得する必要がある。このため、従来のアフィリエイトサービスでは、広告バナーを選択したユーザの端末装置を一次的にアフィリエイトのサーバに接続させ、必要な情報を端末装置から収集した後、端末装置を広告主側にリダイレクト（誘導）する手法がとられている。このような情報取得からリダイレクトまでは、数秒程度の時間で行われるため、ユーザに待機による負担をかけることはなく、もしくはリダイレクト処理が行われたことが認識されない場合もある。
しかしながら、アフィリエイトサービスでは、宣伝サイトから商用サイトに移動する際に、ユーザが意図せずにアフィリエイトサイトにアクセスさせて情報を収集することになる。このような情報収集処理は、宣伝広告の効果をより詳細に分析するために必要なものではあるが、たとえば行きすぎた情報収集が行われる恐れがあり、ユーザのプライバシーが問題となるという課題がある。
【０００７】
さらに、近年、インターネット上の情報収集では、ユーザのプライバシー保護などの観点から、端末装置に付加されたクッキー（Cookie）に対し、付与した者以外の読み取りやリダイレクト処理した後の読み取りを規制する動きがある。アフィリエイトサービスは、このようなネットワーク上でのユーザの情報収集が制限されることで、宣伝広告による成果の把握が困難になるという課題がある。
【０００８】
本発明の発明者は、ユーザと取引を行うサービスサイトが収集した情報を利用して、ユーザが利用した宣伝広告情報の把握および設定条件成立の把握ができるとの知見を得ている。
【０００９】
斯かる課題について、特許文献１、２には開示や示唆はなく、これらの文献に開示された構成では斯かる課題を解決することができない。
そこで、このような知見に基づき、本発明は、ユーザと取引を行わないアフィリエイトサーバをユーザの端末に直接アクセスさせずに、宣伝サイトによる宣伝効果の把握を実現することを目的とする。
【課題を解決するための手段】
【００１０】
上記目的を達成するため、本発明の宣伝管理システムの一側面は、ネットワーク上で、第１のサイトに掲載される広告表示を通じて第２のサイトに接続される端末装置と、前記第２のサイトに接続した前記端末装置から少なくとも識別情報と経過情報を取得して、これらの情報を第２のサーバに送信するとともに、該第２のサーバから通知されたユーザ判別情報を前記端末装置内にある前記識別情報に付与する第１のサーバと、前記第１のサーバから取得した前記識別情報と前記経過情報を記憶部に記憶させ、前記ユーザ判別情報を生成して前記識別情報に対応づけて前記記憶部に記憶させるとともに、前記ユーザ判別情報を前記第１のサーバに送信し、前記端末装置の前記識別情報に付与させる第２のサーバとを備え、前記第１のサーバは、前記第２のサイトに接続している前記端末装置が設定条件を満たしたことを契機に前記端末装置にアクセスし、新たな識別情報を取得して前記第２のサーバに送信し、前記第２のサーバは、新たに取得した前記識別情報に前記ユーザ判別情報が付与されていれば、該ユーザ判別情報と前記記憶部に格納された前記ユーザ判別情報とを対比して両者が一致することにより前記広告表示の成果情報を前記記憶部に記憶させる。
【００１１】
上記宣伝管理システムにおいて、前記第１のサーバは、前記端末装置が接続したときに取得した前記識別情報に前記ユーザ判別情報が含まれているか否かを確認し、この確認結果とともに前記識別情報を前記第２のサーバに通知し、前記第２のサーバは、前記確認結果に基づいて新たに前記ユーザ判別情報を生成し、または前記記憶部のデータベースを参照し、前記データベース内に同一のユーザ判別情報がある場合には、同一内容または一部の内容を更新した前記ユーザ判別情報を前記第１のサーバに送信してよい。
上記宣伝管理システムにおいて、前記第２のサーバは、前記第１のサーバから取得した前記識別情報に前記ユーザ判別情報が含まれているか否かを確認し、この確認結果に基づいて新たに前記ユーザ判別情報を生成し、または前記記憶部のデータベースを参照し、前記データベース内に同一のユーザ判別情報がある場合には、同一内容または一部の内容を更新した前記ユーザ判別情報を前記第１のサーバに送信してよい。
上記宣伝管理システムにおいて、前記第２のサーバの前記記憶部には、前記広告表示を行う前記第１のサイトの特定情報と前記成果情報を含むデータベースを備えてよい。
上記宣伝管理システムにおいて、前記第２のサーバは、前記端末装置によって設定条件が満たされるとともに、前記ユーザ判別情報の一致により前記成果情報の生成を契機に、前記記憶部に格納された同一の前記ユーザ判別情報を削除してよい。
【００１２】
上記目的を達成するため、本発明の宣伝管理装置の一側面は、第１のサイトに掲載される広告表示を通じて第２のサイトに接続した端末装置から取得した少なくとも識別情報と経過情報を、前記第２のサイトの管理サーバから受信するとともに、ユーザ判別情報を前記管理サーバに送信する通信部と、前記管理サーバを通じて前記端末装置の前記識別情報に付与させる前記ユーザ判別情報を生成する処理部と、前記管理サーバから取得した前記識別情報と前記経過情報を記憶するとともに、生成された前記ユーザ判別情報を前記識別情報に対応づけて記憶する記憶部とを備え、前記通信部は、前記第２のサイトに接続している前記端末装置が設定条件を満たしたことを契機に取得された新たな識別情報を前記管理サーバから受信し、前記処理部は、新たに取得した前記識別情報に前記ユーザ判別情報が付与されていれば、該ユーザ判別情報と前記記憶部に格納された前記ユーザ判別情報とを対比して両者が一致することにより前記広告表示の成果情報を生成し、該成果情報を前記記憶部に記憶させる。
【００１３】
上記宣伝管理装置において、前記通信部は、前記端末装置が接続したときに取得した前記識別情報と、前記識別情報に前記ユーザ判別情報が含まれているか否かの確認結果を前記管理サーバから受信し、前記処理部は、前記確認結果に基づいて新たにユーザ判別情報を生成し、または前記記憶部のデータベースを参照し、前記データベース内に同一のユーザ判別情報がある場合には、同一内容または一部の内容を更新した前記ユーザ判別情報を生成して、前記管理サーバに送信させてよい。
上記宣伝管理装置において、前記処理部は、前記管理サーバから取得した前記識別情報に前記ユーザ判別情報が含まれているか否かを確認し、前記確認結果に基づいて新たに前記ユーザ判別情報を生成し、または前記記憶部のデータベースを参照し、前記データベース内に同一のユーザ判別情報がある場合には、同一内容または一部の内容を更新した前記ユーザ判別情報を生成して、前記管理サーバに送信させてよい。
【００１４】
上記目的を達成するため、本発明の宣伝管理プログラムの一側面は、コンピュータで実現するための宣伝管理プログラムであって、第１のサイトに掲載される広告表示を通じて第２のサイトに接続した端末装置から取得した少なくとも識別情報と経過情報を、前記第２のサイトの管理サーバから取得して記憶部に格納させる機能と、前記管理サーバを通じて前記端末装置の前記識別情報に付与させる前記ユーザ判別情報を生成する機能と、取得した前記識別情報と前記経過情報を前記記憶部に格納させるとともに、生成された前記ユーザ判別情報を前記識別情報と対応づけて記憶部に格納させる機能と、前記ユーザ判別情報を前記管理サーバに送信させる機能と、前記第２のサイトに接続している前記端末装置が設定条件を満たしたことを契機に取得された新たな識別情報を前記管理サーバから取得する機能と、新たに取得した前記識別情報に前記ユーザ判別情報が付与されていれば、該ユーザ判別情報と前記記憶部に格納された前記ユーザ判別情報とを対比する機能と、新たに取得した前記識別情報に前記ユーザ判別情報と前記記憶部に格納された前記ユーザ判別情報が一致することにより前記広告表示の成果情報を生成する機能とを前記コンピュータに実行させる。
【００１５】
上記宣伝管理プログラムにおいて、前記端末装置が接続したときに取得した前記識別情報と、前記識別情報に前記ユーザ判別情報が含まれているか否かの確認結果を前記管理サーバから取得する機能と、前記確認結果に基づいて新たにユーザ判別情報を生成し、またはデータベース内に同一のユーザ判別情報がある場合には、同一内容または一部の内容を更新した前記ユーザ判別情報を生成して、前記管理サーバに送信させる機能とを含んでよい。
上記宣伝管理プログラムにおいて、前記管理サーバから取得した前記識別情報に前記ユーザ判別情報が含まれているか否かを確認する機能と、この確認結果に基づいて新たに前記ユーザ判別情報を生成し、または前記記憶部のデータベースを参照し、前記データベース内に同一のユーザ判別情報がある場合には、同一内容または一部の内容を更新した前記ユーザ判別情報を生成して、前記管理サーバに送信させる機能とを含んでよい。
【発明の効果】
【００１６】
本発明によれば、次のいずれかの効果が得られる。
【００１７】
(1) サービスサイトを管理する第１のサーバがユーザの端末装置から取得した識別情報や経過情報、ユーザの端末装置に付与したユーザ判別情報を利用して、メディアサイトの広告表示の宣伝効果を確認することができる。
【００１８】
(2) アフィリエイトサービスを行う第２のサーバを端末装置に直接アクセスさせないことで、ユーザが認識しない機器による情報収集が行われず、ユーザのプライバシーが担保できる。
【００１９】
(3) ユーザの追跡に利用する判別情報を第２のサーバで生成し、この判別情報をユーザと取引する第１のサーバによって付与させることで、アフィリエイトサービスの導入時の設定負荷や、サービスサイトに訪問したユーザに対するアフィリエイトの監視負荷の軽減が図れる。
【図面の簡単な説明】
【００２０】
【図１】第１の実施形態に係る宣伝管理システムの機能構成例を示す図である。
【図２】宣伝管理システムの機能部の構成例を示す図である。
【図３】宣伝管理システムにおける端末装置のアクセスおよび情報の流れの一例を示す図である。
【図４】トラッキングＤＢの構成例を示す図である。
【図５】商品のアフィリエイトＤＢの構成例を示す図である。
【図６】アフェリエイターＤＢの構成例を示す図である。
【図７】端末装置側の処理状態の一例を示す図である。
【図８】宣伝管理システムのシーケンス図である。
【図９】宣伝管理システムのシーケンス図である。
【図１０】宣伝管理処理の一例を示すフローチャートである。
【図１１】第２の実施形態に係る宣伝管理システムの機能構成例を示す図である。
【図１２】宣伝管理処理の一例を示すフローチャートである。
【図１３】第３の実施形態に係る宣伝管理システムの機能構成例を示す図である。
【図１４】第４の実施形態に係る宣伝管理システムの機能構成例を示す図である。
【発明を実施するための形態】
【００２１】
〔第１の実施形態〕
図１は、第１の実施形態に係る宣伝管理システムの機能構成例を示している。図１に示す構成は一例であり、本発明が斯かる構成に限定されない。
この宣伝管理システム２は、ユーザが利用する端末装置４がアクセスしたメディアサイト６を利用して掲載したバナー広告によりサービスサーバ１２が提供する商品やサービスなどの宣伝広告を行い、その宣伝に対する成果を監視して広告掲載料を算定する機能構成の一例である。宣伝管理システム２には、たとえば図１に示すように、インターネット８などの公衆ネットワーク上にメディアサイト６やサービスサイトが配置されており、複数のユーザが端末装置４を利用して通信可能になっている。ユーザが利用する端末装置４は、インターネット８に接続可能な通信機能を備えたコンピュータであって、ＰＣ（Personal Computer）や携帯通信端末などが含まれる。
【００２２】
メディアサイト６は、本開示の第１のサイトの一例であって、図示しないメディアサーバなどのコンピュータによって管理・運営されている。メディアサイト６は、たとえばインターネット上にある多数のＷｅｂサイトなどを検索する所謂ポータルサイトであってもよく、または所定の分野などに関する商品やサービスなどを提供するサービスサイトの宣伝広告を掲載する宣伝サイトなどが含まれる。このメディアサイト６には、たとえば商品やサービスごと、またはサービスサイトごとの宣伝広告であるバナー広告１０−１、１０−２、１０−３、・・・が掲載されている。バナー広告１０−１、１０−２、１０−３、・・・は、それぞれ設定された商品やサービスサイトに対するリンク（Ｌｉｎｋ）情報が設定されており、ユーザの選択操作により端末装置４を設定されたリンク先に転送させる。このようにメディアサイト６は、ユーザに対して商品などの紹介とともに、商品などに誘導する機能を備える。
【００２３】
サービスサーバ１２は、本開示の第１のサーバの一例であって、サービスサイトの管理・運営処理を行うコンピュータで構成されており、メディアサイト６を通じてアクセスしてくる端末装置４との間で情報の送受信が行われる。またサービスサーバ１２は、サービスサイトで販売する商品やサービスなどの宣伝広告を依頼する広告主であって、アフィリエイト処理を実行するアフィリエイトサーバ１４に対し、ユーザの端末装置４から取得した情報の全部、またはサービスサイト内でユーザが行った行為を追跡し、アフィリエイトの判別に必要な情報を送信する。このサービスサーバ１２は、たとえば識別情報収集部１６、ユーザ判別機能部１８、経過情報収集部２０、ユーザ判別情報付与部２２を備える。
【００２４】
識別情報収集部１６は、サービスサイトにアクセスしたユーザの端末装置４を特定し、サービスサイト内での端末装置４の行動のトラッキングなどに利用する情報を収集する手段の一例である。収集される識別情報は、たとえば端末装置４のブラウザに格納されるクッキー（HTTP cookie）に含まれる情報の一部や、端末装置４を特定する情報もしくは端末装置４を利用しているユーザを特定するアカウント情報などが含まれる。識別情報収集部１６は、たとえば端末装置４がサービスサイトにアクセスしたタイミングでブラウザにアクセスし、ユーザの特定に必要な識別情報を抽出する。
【００２５】
ユーザ判別機能部１８は、抽出した識別情報や、後述するユーザ判別情報などを参照して、トラッキングの対象のユーザか否かを判別する機能部の一例である。ユーザ判別情報は、たとえばサービスサイトに接続してトラッキングの対象となった端末装置４に付与するユニーク情報（ＵＩＤ）の一例であり、識別情報収集部１６で収集される識別情報内に格納されるほか、識別情報と関連付けてブラウザ内に格納されている。ユーザ判別情報は、たとえば所定のルールによって生成した乱数などで構成されている。
【００２６】
経過情報収集部２０は、端末装置４がサービスサイトにアクセスするまえに通過してきたＷｅｂサイトの情報や、バナー広告などの経過情報を取得する機能部の一例である。この経過情報は、たとえば端末装置４のブラウザに格納されたリファラー（HTTP リファラー）情報を利用すればよい。
【００２７】
ユーザ判別情報付与部２２は、サービスサイトにアクセスした端末装置４にユーザ判別情報を送信し、ブラウザに付与させる機能部の一例である。ユーザ判別情報は、アフィリエイトサーバ１４で生成されており、端末装置４がアクセスしたタイミングでアフィリエイトサーバ１４から取得する。
【００２８】
アフィリエイトサーバ１４は、本開示の第２のサーバ、もしくは宣伝管理装置の一例であって、広告主であるサービスサーバ１２からの依頼によってメディアサイト６の選定、バナー広告１０−１、１０−２、１０−３・・・の設置指示を行うとともに、サービスサイトにアクセスした端末装置４を監視してアフィリエイトの成立の判定を実行するコンピュータで構成される。アフィリエイトサーバ１４は、たとえばサービスサーバ１２が抽出した端末装置４の識別情報や、経過情報のほか、ユーザ判別情報（ＵＩＤ）の有無の判別結果とユーザ判別情報を受信する。またアフィリエイトサーバ１４は、サービスサーバ１２に対して新たに生成し、または内容の一部を更新したユーザ判別情報を送付するほか、端末装置４に付与させる指示情報などを含んでもよい。アフィリエイトサーバ１４は、たとえば図示しないプロセッサやメモリのほか、通信部２４、処理部２６、記憶部２８を備える。
【００２９】
通信部２４は、たとえばインターネット８などの一般的なネットワークに接続する機能とともに、アフィリエイトサービスを提供するサービスサーバ１２を特定して識別情報やユーザ判別情報などのデータを送受信するためにソケット通信（Socket）などを利用する。
【００３０】
処理部２６は、トラッキング処理やユーザ判別情報の生成などアフィリエイト処理を実行するための機能部の一例であり、たとえば記憶部２８に格納された宣伝管理プログラムの実行により機能する。この処理部２６には、たとえば識別情報処理機能部３０、ユーザ判別情報生成部３２、集計部３４などが形成される。
識別情報処理機能部３０は、サービスサーバ１２から受信した識別情報に基づいて端末装置４やサービスサイトにアクセスする端末装置４を利用するユーザを特定する機能部の一例である。
ユーザ判別情報生成部３２は、サービスサーバ１２によるＵＩＤの有無の判別結果に基づいて、新たなＵＩＤを生成し、または既に付与されているＵＩＤに対してアクセス日などの更新処理を行う。
集計部３４は、識別情報やユーザ判別情報、経過情報などを利用して、トラッキング対象の端末装置４に対するトラッキングＤＢ６０（図４）の生成処理を行う機能部の一例である。
【００３１】
記憶部２８は、アフィリエイトサーバ１４の基本動作を制御するＯＳ（Operating System）やアフィリエイト機能を実行する宣伝管理プログラム、通信処理プログラムなどが格納されるとともに、宣伝管理プログラムをプロセッサによって演算処理するための作業領域として機能する。さらに記憶部２８には、宣伝管理処理に利用するデータベース（ＤＢ）３６が形成されおり、端末装置４の情報やアフィリエイトを依頼したサービスサイトの情報、宣伝広告を行うメディアサイト６の情報などが格納される。
【００３２】
＜宣伝管理システム２について＞
図２および図３は、宣伝管理システムの構成や端末装置の行動経緯、情報の流れの一例を示している。
ユーザが操作する端末装置４には、たとえばＷｅｂサイトを閲覧するためのブラウザ４０を備えている。このブラウザ４０には、Ｗｅｂサイトの閲覧によって付与される情報として、たとえばクッキーなどに含まれる識別情報やサービスサーバ１２から付与されたユーザ判別情報、端末装置４がアクセスしたＷｅｂサイトを特定する経過情報などが格納される。
【００３３】
サービスサイトは、たとえばメインページ４２、別ページ４４、コンバージョンページ４６で構成されている。
メインページ４２は、サイトのトップページ、商品一覧掲載したページ、もしくは商品ごとに掲載されたページであって、メディアサイト６のバナー広告１０−１、１０−２、１０−３、・・・１０−６により誘導して表示させるページである。
別ページ４４は、たとえば１または複数のページで構成されており、それぞれのページ同士やメインページ４２との間で移動可能にリンク接続されている。別ページ４４同士や別ページ４４とメインページ４２は、たとえば同じドメイン内に配置されている。
コンバージョンページ４６は、アフィリエイトにおいて設定した条件の達成時、または達成直前に表示させるページの一例であり、たとえば商品やサービスに対する決済完了や予約完了などのページが表示される。
【００３４】
宣伝管理システム２では、端末装置４がメインページ４２にアクセスしたタイミングで情報収集およびトラッキング処理を実行するように設定されている。これにより宣伝管理システム２では、たとえば図３のＡに示すように、ユーザの端末装置４がメディアサイト６にアクセスし、掲載された特定のバナー広告１０を選択操作することでサービスサイトのメインページ４２に誘導される。このときサービスサイトは、端末装置４のブラウザ４０内から特定の識別情報５０（図２）や経過情報５２（図２）、サービスサイトＩＤなどを収集して、アフィリエイトサーバ１４に送信する。アフィリエイトサーバ１４では、取得した情報をＤＢ３６に格納する。またサービスサーバ１２は、アフィリエイトサーバ１４で生成されたユーザ判別情報５４を取得すると、サービスサーバ１２が端末装置４のブラウザ４０に対して発行する情報に、ユーザ判別情報５４を付与する。
【００３５】
アフィリエイトサーバ１４は、たとえば処理部２６に識別情報５０や経過情報５２、その他の情報を読み込むと、これらの情報に基づいてユーザ判別情報５４を生成して、端末装置４をトラッキング対象として設定するとともに、端末装置４の情報をＤＢ３６に格納する。ＤＢ３６には、たとえばトラッキング対象の特定や経過情報、その成果などの情報が格納されるトラッキングＤＢ６０、宣伝広告の対象と広告の掲載先などを特定した商品のアフィリエイトＤＢ６２、バナー広告１０の掲載先を特定するアフェリエイターＤＢ６４を備える。
また処理部２６は、通信部２４を通じてサービスサーバ１２にユーザ判別情報５４、端末装置４に対してユーザ判別情報５４の付与を指示する指示情報などを送信させる。
【００３６】
サービスサーバ１２は、たとえば図３のＢに示すように、商品の購入決定や予約処理などのように設定した目標をユーザが達成した場合、コンバージョンページ４６を端末装置４のブラウザ４０に表示させる。このときサービスサーバ１２は、端末装置４のブラウザ４０にアクセスして、識別情報やＵＩＤを取得し、そのクッキー内にある特定の情報や経過情報、サービスサイトＩＤ５６、商品情報５８などをアフィリエイトサーバ１４に送信する。アフィリエイトサーバ１４は、たとえばブラウザ４０から取得した情報やＵＩＤとＤＢ３６内に格納されている情報とを対比し、目標を達成した端末装置４のユーザがトラッキングの対象であることの確認や、この端末装置４をサービスサイトに誘導したメディアサイトがアフィリエイトの対象か否かを判断する。そしてアフィリエイトサーバ１４は、判断結果に基づいて、宣伝の成果情報６６を生成する。宣伝の成果情報６６は、メディアサイトに対する報酬額の算出やその支払の根拠となる。
【００３７】
サービスサーバ１２は、メインページ４２にアクセスした端末装置４に対して、情報の送信または収集要求を行い、ブラウザ４０から識別情報５０や経過情報５２を読み出す。サービスサーバ１２は、たとえば識別情報５０内もしくは識別情報５０に関連付けられたユーザ判別情報の有無を判別し、その結果と識別情報５０や経過情報５２とともにアフィリエイトサーバ１４に送信する。またサービスサーバ１２は、アフィリエイトサーバ１４から受信したユーザ判別情報５４を端末装置４のブラウザ４０に付与させる。
【００３８】
＜トラッキングＤＢ６０について＞
図４は、トラッキングＤＢの一例を示している。図４に示すＤＢに格納される情報やその情報の表示項目、表示名、順序などは一例である。
このトラッキングＤＢ６０は、サービスサイトにアクセスしてトラッキング対象となったユーザ、またはそのユーザの端末装置４から取得した情報やサービスサイトでの動作情報などが格納されており、たとえばインデックス部６０１、ユーザ判別情報部６０２、メディアＩＤ部６０３、サービスサイトのＩＤ部６０４、広告Ｎｏ部６０５、発行日情報部６０６、コンバージョン日部６０７、使用済み日時部６０８を含む。
【００３９】
インデックス部６０１は、トラッキングＤＢ６０内に生成されたデータを判別するための情報が格納される。
【００４０】
ユーザ判別情報部６０２は、処理部２６で生成されたＵＩＤが格納される。このＵＩＤは、たとえば端末装置４ごとに設定してもよく、または同一の端末装置４に対して複数設定されてもよい。ＵＩＤは、バナー広告１０によって誘導された端末装置４、またはその端末装置４のユーザに対してトラッキング対象か否かを判別する情報である。そのため同じサービスサイトで販売する異なる複数の商品に対し、それぞれ異なるバナー広告１０が設定されている場合には、トラッキング対象が異なるため、異なるＵＩＤを設定すればよい。
【００４１】
メディアＩＤ部６０３は、端末装置４を誘導したメディアサイト６を識別するための情報として、たとえばアドレス情報などが格納される。
【００４２】
サービスサイトのＩＤ部６０４は、広告主であるサービスサイトを識別するための情報として、たとえばアドレス情報のほか、サービスサイトの名称、種類などの情報が格納される。
【００４３】
広告Ｎｏ部６０５は、たとえば端末装置４が選択操作に応じて誘導したバナー広告１０を特定するための情報が格納される。
【００４４】
発行日情報部６０６は、トラッキングでＤＢ６０に対し、新たな情報の作成、または更新処理が行われた日などが格納される。
【００４５】
コンバージョン日部６０７は、サービスサイトにおいて端末装置４がコンバージョンを成立した日付などの情報が格納される。
【００４６】
使用済み日時部６０８は、コンバージョンの成立後に処理部２６が成果情報６６の生成に利用した日時情報が格納される。
【００４７】
＜商品のアフィリエイトＤＢ６２＞
図５は、商品のアフィリエイトＤＢの一例を示している。
商品のアフィリエイトＤＢ６２は、宣伝広告の対象となる商品情報とその宣伝広告先の管理に用いられるデータベースの一例であって、インデックス部６２１、サービスサイトＩＤ部６２２、メディアＩＤ部６２３、商品Ｎｏ部６２４、商品名部６２５、稼働フラグ部６２６、報酬額部６２７などを備える。
【００４８】
インデックス部６２１は、アフィリエイトＤＢ６２内に生成されたデータを判別するための情報が格納される。
【００４９】
サービスサイトＩＤ部６２２は、サービスサイトを識別するための情報として、たとえばアドレス情報のほか、サービスサイトの名称、種類などの情報が格納される。
【００５０】
メディアＩＤ部６２３は、広告対象である商品またはサービスサイトの商品ページ誘導するメディアサイト６を識別するための情報として、たとえばアドレス情報などが格納される。
【００５１】
商品Ｎｏ部６２４は、商品の種類などを分別するために設定した番号などの情報が格納される。
【００５２】
商品名部６２５は、宣伝広告の対象となる商品の名称や型番などの情報が格納される。
【００５３】
稼働フラグ部６２６は、商品のアフィリエイトＤＢ６２に登録されている商品情報について、いずれかのメディアサイト６でバナー広告１０による広告表示が行われているか否か、またはサービスサイトにおいて、トラッキングの対象として設定されているか否かを示す情報が格納される。
【００５４】
報酬額部６２７は、コンバージョン成立によってメディアサイト６の運営側に対して支払われる広告報酬金額などが格納される。
【００５５】
＜アフェリエイターＤＢ６４＞
図６は、アフェリエイターＤＢの一例を示している。
アフェリエイターＤＢ６４は、広告主であるサービスサイトの商品やサービスなどのバナー広告を掲載して宣伝広告を行うアフェリエイターであるメディアサイト管理するデータベースの一例である。このアフェリエイターＤＢ６４には、たとえばアフェリエイターＩＤ部６４１、メディア登録者名部６４２、口座情報部６４３、メールアドレス部６４４、アフェリエイター情報部６４５を備える。
【００５６】
アフェリエイターＩＤ部６４１は、たとえばアフィリエイトサーバ１４との間で広告表示の掲載や、掲載に対して報酬額を支払うなど契約を結んだメディアサイト６の登録順序などが格納される。
【００５７】
メディア登録者名部６４２は、メディアサイト６の管理者名などの情報が格納される。
口座情報部６４３は、宣伝の成果に応じて支払われる広告費の支払手段、支払先などの情報が格納される。
メールアドレス部６４４は、メディアサイト６の管理者に対する連絡先情報の一例である。この連絡先情報には、メールアドレスのほかに電話番号などの情報を利用してもよい。
アフェリエイター情報部６４５は、メディアサイト６に関する情報、またはバナー広告１０の掲載に関する事項、その他アフィリエイト契約に関する事項などの情報が格納される。
【００５８】
＜端末装置４によるアクセス状態について＞
図７は、端末装置側の処理状態例を示している。
端末装置４の表示部には、たとえば図７のＡに示すようにブラウザ４０を利用してメディアサイト６が表示される。端末装置４は、たとえばユーザがキーボードやマウスなどの入力装置、または表示部に形成されたタッチパネルに対する操作によって、バナー広告１０−１の選択操作が行われる。
【００５９】
バナー広告１０−１が選択された端末装置４は、たとえば図７のＢに示すように、設定されたリンク情報に従ってサービスサイトにアクセスし、表示部にメインページ４２が表示される。このとき端末装置４には、たとえばブラウザ内に、メディアサイト６にアクセスしたことを示す経過情報５２や、サービスサイトが発行した識別情報７０およびユーザ判別情報５４などが格納される。
【００６０】
このサービスサイトは、たとえばレストランの予約サイトであって、予約申込処理がアフィリエイトの設定条件として設定されている。そこで、端末装置４の表示部には、たとえば図７のＣに示すように、サービスサイト内で予約の申込を進めていくと、コンバージョンページの１つである最終確認画面４６−Ｉが表示される。この最終確認画面４６−Ｉには、予約の申込を確定させる送信操作部が表示されており、この送信操作部を選択操作することで、サービスサイトに対して予約内容に対する合意確認および申込が確定する。そして、端末装置４の表示部には、たとえば図７のＤに示すように、サービスサイトから予約完了の表示や問い合わせ番号などを含む完了ページ４６−ＩＩが表示される。この完了ページ４６−ＩＩは、コンバージョンページの１つである。
このときサービスサーバ１２は、たとえば最終確認画面４６−Ｉもしくは完了ページ４６−ＩＩの表示前、または表示するときに端末装置４のブラウザ４０から識別情報７０やユーザ判別情報５４を読み出して、いずれのバナー広告による成果であるかの判別処理に利用する。
【００６１】
＜宣伝管理システム２の処理について＞
図８、図９は、宣伝管理システムのシーケンス処理例を示している。図８、図９に示す処理内容や処理手順は一例であって、本発明が斯かる内容に限定されない。
これらのシーケンス処理は、本開示の宣伝管理プログラムの一例である。
ユーザの端末装置４は、特定のメディアサイトにアクセスし（Ｓ１０１）、そこに表示されたいずれかのバナー広告１０を選択操作すると（Ｓ１０２）、設定されたサービスサイトに誘導される（Ｓ１０３）。
【００６２】
サービスサイトを管理するサービスサーバ１２は、アクセスしてきた端末装置４に対し、経過情報などを取得（Ｓ１０４）し、サービスサイトから誘導されたことを把握する。さらにサービスサーバ１２は、端末装置４にアクセスし（Ｓ１０５）、ブラウザ４０にある識別情報を取得する（Ｓ１０６）。このときサービスサーバ１２は、たとえば端末装置４が以前にサービスサイトにアクセスしていることを示すユーザ判別情報が格納されているかの判断し、その判断結果をアフィリエイトサーバ１４に通知する（Ｓ１０７）。
【００６３】
アフィリエイトサーバ１４は、サービスサーバ１２から端末装置４やそのユーザを特定する識別情報や、ユーザ判別情報の有無の判断結果やユーザ判別情報、その他の情報を取得すると（Ｓ１０８）、トラッキングＤＢ６０にこれらの情報を格納する（Ｓ１０９）。ユーザ判別情報を持っていない場合、トラッキングＤＢ６０には、端末装置４に関する新たなデータが登録される。またユーザ判別情報を持っている場合、アフィリエイトサーバ１４の処理部２６は、トラッキングＤＢ６０内にある端末装置４のファイルを抽出し、サービスサイトへのアクセス日などを更新すればよい。
そして処理部２６は、ユーザ判別情報の有無の判断結果に応じて、新たなユーザ判別情報の生成、もしくは取得したユーザ判別情報内に記録された日付情報などの更新処理を行うと（Ｓ１１０）、このユーザ判別情報とサービスサーバ１２に対する指示情報を送信する（Ｓ１１１）。
【００６４】
サービスサーバ１２は、新規または更新されたユーザ判別情報を取得すると（Ｓ１１２）、指示情報に基づいて端末装置４のブラウザに対し、ユーザ判別情報を付与する（Ｓ１１３）。
【００６５】
端末装置４は、サービスサイトにおいて、設定条件を満たす操作を行う（Ｓ２０１）。設定条件を満たす操作は、たとえばユーザがサービスサイトを訪問してから継続してサイト内にアクセスした後に行われてもよく、または他のサイトにアクセスし、もしくは別の日に再度サービスサイトにアクセスしたときに行ってもよい。すなわち、宣伝管理システム２では、端末装置４に対してユーザ判別情報を付与した後であれば、サービスサイトにアクセスし続ける連続的なセッションを行わなくてもよい。
【００６６】
サービスサーバ１２は、斯かる設定条件を満たす操作の発生を契機に、コンバージョンの確認処理を行う（Ｓ２０２）。サービスサーバ１２は、端末装置４にアクセスし（Ｓ２０３）、識別情報やユーザ判別情報を取得する（Ｓ２０４）と、これらの情報をアフィリエイトサーバ１４に送信する（Ｓ２０５）。
アフィリエイトサーバ１４の処理部２６は、識別情報などを取得すると（Ｓ２０６）、トラッキングＤＢ６０に格納された端末装置４のデータを読み出し（Ｓ２０７）、ユーザ判別情報同士を対比して一致するか否かの判別処理を行う（Ｓ２０８）。処理部２６は、ユーザ判別情報が一致すると判断すると、トラッキングＤＢに登録されているバナー広告１０またはメディアサイト６の宣伝による成果情報６６を生成し（Ｓ２０９）、アフィリエイト集計処理を行う（Ｓ２１０）。また処理部２６は、アフィリエイトＤＢに格納された情報の整理を行う（Ｓ２１１）。
【００６７】
＜宣伝管理処理について＞
図１０は、宣伝管理処理例を示している。図１０に示す処理内容や処理手順などは一例であり、本発明が斯かる構成に限定されない。
この宣伝管理処理は、本開示の宣伝管理プログラムの一例であり、宣伝管理装置であるアフィリエイトサーバ１４が実行する。
【００６８】
この宣伝管理処理には、たとえば端末装置４がサービスサイトにアクセスしたときに行う処理Ａと、トラッキング処理において設定した条件を満たす操作をしたときに行う処理Ｂが含まれる。
宣伝管理処理の処理Ａでは、たとえばサービスサーバ１２から端末装置４のアクセス情報の通知を受ける（Ｓ３１１）、サービスサーバ１２を通じて端末装置４の識別情報や経過情報、ユーザ判別情報などを取得する（Ｓ３１２）。処理部２６は、トラッキングＤＢ６０にアクセスし、一致する識別情報やユーザ判別情報が格納されているかを判断する（Ｓ３１３）。一致する情報があった場合（Ｓ３１３のＹＥＳ）、処理部２６は、一致する端末装置４のデータを読み出し、ユーザ判別情報内のアクセス日などの情報を最新の情報に変更してトラッキングＤＢ６０を更新する（Ｓ３１４、Ｓ３１５）。
【００６９】
また、処理部は、トラッキングＤＢ６０内に一致する情報が無い場合（Ｓ３１３のＮＯ）、ユーザ判別情報を生成し（Ｓ３１６）、このユーザ判別情報や識別情報、経過情報などをトラッキングＤＢ６０に格納する（Ｓ３１７）。
【００７０】
そして、処理部２６は、更新したユーザ判別情報、または新たに作成したユーザ判別情報の何れかと、サービスサーバ１２に対する指示情報を送信する（Ｓ３１８）。
【００７１】
宣伝管理処理の処理Ｂでは、処理部２６がサービスサーバ１２からコンバージョンの通知を受けるとともに、ユーザ判別情報などの情報を取得する（Ｓ３１９）。処理部２６は、トラッキングＤＢ６０を読み出し（Ｓ３２０）、一致するユーザ判別情報があるかを判断する（Ｓ３２１）。処理部２６は、一致するユーザ判別情報がある場合（Ｓ３２１のＹＥＳ）、アフィリエイトサービスの対象となるメディア情報をもっているか否かを判断する（Ｓ３２２）。また、このメディア情報の判断では、アフィリエイトサーバ１４との間に、バナー広告１０を利用して宣伝を行い、その報酬を受ける点について、契約の有無を判断する。
【００７２】
処理部２６は、メディア情報を持っている場合（Ｓ３２２のＹＥＳ）、このメディア情報を利用してアフィリエイトの成果情報６６を生成した（Ｓ３２３）後、このコンバージョンが成立した商品やサービスに対し、もしくはユーザの識別情報やユーザ判別情報を含むトラッキングＤＢ６０内の情報の一部の削除による更新処理を行う（Ｓ３２４）。この情報の削除では、たとえばトラッキングＤＢ６０内の同一のユーザ判別情報やトラッキング対象の商品が一致するものであって、かつユーザ判別情報が一致するものを抽出して削除する。
【００７３】
〔第１の実施形態の効果〕
斯かる構成によれば、以下のいずれかの効果が得られる。
【００７４】
(1) ユーザの端末装置との間で取引や契約などを行なわず、ユーザが認識していないアフィリエイトサーバ１４に対し、直接端末装置４にアクセスして識別情報やユーザ判別情報などを収集させないことで、ユーザのプライバシーを確保することができる。
【００７５】
(2) サービスサーバ１２がユーザの端末装置４から取得した識別情報や経過情報、ユーザの端末装置に付与したユーザ判別情報を利用して、メディアサイトの広告表示の宣伝効果を確認することができる。
【００７６】
〔第２の実施形態〕
図１１は、第２の実施形態に係る宣伝管理システムの構成例を示している。図１１に示す構成は一例である。
第２の実施の形態に係る宣伝管理システム２は、たとえば図１１に示すように、メディアサイト６のバナー広告１０を通じてアクセスする端末装置４に対し、サービスサーバ１２が端末装置４のブラウザ４０にアクセスして識別情報５０やリファラーなどで記録された経過情報５２を収集する。そして、サービスサーバ１２では、端末装置４から収集した情報に対し、以前にアクセスしたユーザか否かを判断するためのユーザ判別情報を有するか否かを判断せず、収集した情報の全て、もしくはアフィリエイト処理に必要な情報として予め条件付けされた情報のみを選出してアフィリエイトサーバ１４に送信する。
【００７７】
アフィリエイトサーバ１４の処理部２６には、たとえばユーザ判別機能部８０を備えており、サービスサーバ１２から受信した情報内にユーザ判別情報が含まれるか否かの判別処理を行う。
【００７８】
また宣伝管理システム２では、ユーザ判別情報の有無を判断する処理以外は、第１の実施形態に示す宣伝管理処理と同様に行えばよい。
【００７９】
＜宣伝管理処理について＞
図１２は、宣伝管理処理を示している。図１２に示す処理内容、処理手順は一例である。
宣伝管理処理の処理Ａでは、たとえば図１２に示すように、サービスサーバ１２から端末装置４のアクセス情報の通知を受ける（Ｓ４１１）と、サービスサーバ１２を通じて端末装置４の識別情報や経過情報などを取得する（Ｓ４１２）。処理部２６は、ユーザ判別機能部８０を利用して、取得した識別情報やその他の情報にユーザ判別情報が存在するか否かの判別処理を行う（Ｓ４１３）。処理部２６は、ユーザ判別情報を判別して読み出した場合（Ｓ４１３のＹＥＳ）、トラッキングＤＢ６０にアクセスし、一致する識別情報やユーザ判別情報が格納されているかを判断する（Ｓ４１４）。一致する情報があった場合（Ｓ４１４のＹＥＳ）、処理部２６は、ユーザ判別情報内のアクセス日などの情報を最新の情報に変更してトラッキングＤＢ６０を更新する（Ｓ４１５、Ｓ４１６）。
【００８０】
また、処理部２６は、取得した識別情報やその他の情報にユーザ判別情報が存在しないと判断した場合（Ｓ４１３のＮＯ）や、トラッキングＤＢ６０内に一致する情報が無い場合（Ｓ４１４のＮＯ）、新たなユーザ判別情報を生成し（Ｓ４１７）、このユーザ判別情報や識別情報、経過情報などをトラッキングＤＢ６０に格納する（Ｓ４１８）。
【００８１】
そして、処理部２６は、更新したユーザ判別情報、または新たに作成したユーザ判別情報の何れかと、サービスサーバ１２に対する指示情報を送信する（Ｓ４１９）。
【００８２】
なお、宣伝管理処理の処理Ｂは、図１０の処理Ｓ３１９〜Ｓ３２４と同様の処理を行えばよい。
【００８３】
〔第２の実施形態の効果〕
斯かる構成によれば、以下のような効果が得られる。
【００８４】
(1) 第１の実施形態と同様の効果が得られる。
【００８５】
(2) 端末装置４のブラウザ４０などから収集した識別情報５０や経過情報５２について、サービスサーバ１２内でユーザ判別情報の有無を判断せず、トラッキング処理を行うアフィリエイトサーバ１４の処理部２６で判別処理を行うことで、商品販売などの処理を行うサービスサーバ１２の負荷を軽減することができる。
【００８６】
(3) また、サービスサーバ１２側で、端末装置４に対するトラッキング処理を行わせないことで、アフィリエイトサーバ１４のメンテナンスや意図しないサーバダウン、その他、処理の停滞処理などの不都合が生じた場合でも、サービスサーバ１２による商品の販売処理などに対する影響を最小限に抑えることができる。
【００８７】
(4) サービスサーバ１２は、端末装置４との間で情報の送受信およびアフィリエイトサーバ１４への情報の送信に限定することで、サービスサーバ１２に対して高度でかつ膨大な処理プログラムの設定などが不要になり、宣伝管理システム２の導入負荷の軽減が図れる。
【００８８】
〔第３の実施形態〕
図１３は、第３の実施形態に係る宣伝管理システムの構成例を示している。
この宣伝管理システム２は、たとえば図１３に示すように、サービスサーバ１２で管理・運営されるサービスサイトが、アフィリエイトページ９０、メインページ４２、別ページ４４、コンバージョンページ４６で構成される。
アフィリエイトページ９０は、端末装置４からの情報収集処理、アフィリエイトサーバ１４への識別情報などの送信、ユーザ判別情報５４の受信、およびユーザ判別情報５４を端末装置４のブラウザ４０への付与を含むトラッキング処理を実行するためのページである。このアフィリエイトページ９０は、たとえばサービスサイトにアクセスする端末装置４に対して最初に表示させるように設定されている。従って、メディアサイト６に提示されたバナー広告１０−１、１０−２、・・・１０−６に対し、アフィリエイトページ９０に誘導させるようにリンク情報を設定する必要はない。また、端末装置４は、たとえばサービスサイトのメインページ４２や別ページ４４に対してブックマークなどが設定されていても、サービスサーバ１２にアクセスしたときに強制的にアフィリエイトページ９０を表示させるようにすればよい。アフィリエイトページ９０は、たとえばメインページ４２、別ページ４４、コンバージョンページ４６と同一ドメイン内に形成されている。
【００８９】
そしてサービスサーバ１２は、サービスサイトにアクセスした端末装置４に対し、アフィリエイトページ９０において情報収集およびユーザ判別情報５４の付与が完了すると、メインページ４２にリダイレクトさせる。このアフィリエイトページ９０は、たとえば文字や色などが付されないページであって、１秒から数秒の間、表示されるものである。従って、端末装置４を利用するユーザは、トラッキング処理の負荷により、アフィリエイトページ９０が一瞬目視でき、または全く視覚できない場合もある。
【００９０】
〔第３の実施形態の効果〕
斯かる構成によれば、以下のような効果が得られる。
【００９１】
(1) 第１の実施形態または第２の実施形態と同様の効果が得られる。
【００９２】
(2) サービスサーバ１２は、端末装置４に対してメインページ４２を表示する際に図示しないシステムプログラムを実行しているが、メインページ４２を表示する前にトラッキング処理のみを行うアフィリエイトページ９０を介在させることで、システムプログラムとトラッキング処理の実行タイミングが重ならず、処理の負荷分散を図ることができる。
【００９３】
(3) アフィリエイトページ９０を介在させて処理の負荷分散を行うことで、サービスサイトにアクセスが集中した場合に、メインページ４２の表示やその他別ページ４４への移動などにおいて、ページの生成処理の停滞などを防止できる。
【００９４】
〔第４の実施形態〕
図１４は、第４の実施形態に係る宣伝管理システムの構成例を示している。図１４に示す構成は一例である。
この宣伝管理システム２は、たとえば図１４に示すように、サービスサーバ１２で管理・運営されるサービスサイトが、アフィリエイトページ９０、メインページ４２、別ページ４４、コンバージョンページ４６で構成される。また、この宣伝管理システム２では、メディアサイト６に掲載されるバナー広告１０−１、１０−２、・・・１０−６は、たとえば宣伝によって誘導されるメインページ４２として、それぞれ個別の商品ページ９２Ａ、９２Ｂ、・・・９２Ｎに対してリンク情報が設定される場合を示している。
【００９５】
このような宣伝管理システム２では、たとえばいずれのバナー広告１０−１、１０−２、・・・１０−６を選択操作した場合であっても、サービスサーバ１２にアクセスしたときに強制的にアフィリエイトページ９０を表示させ、トラッキング処理としてアクセスしてきた端末装置４から情報収集し、アフィリエイトサーバ１４に送信、およびユーザ判別情報５４の付与が行われる。そして、サービスサーバ１２は、アフィリエイトページ９０でのトラッキング処理が完了すると、選択操作したバナー広告１０−１、１０−２、・・・１０−６に設定されたリンク情報を参照し、対応する商品ページ９２Ａ、９２Ｂ、・・・９２Ｎにリダイレクトさせる。
【００９６】
〔第４の実施形態の効果〕
斯かる構成によれば、第３の実施形態と同様の効果が得られる。
【００９７】
以上説明した実施形態について、その特徴事項や変形例を以下に列挙する。
【００９８】
(1) 上記実施形態では、端末装置４がメディアサイト６を通じてサービスサイトにアクセスする場合の例を示したが、これに限られない。つまり宣伝管理システム２では、たとえば端末装置４が始めてバナー広告１０−１、１０−２、・・・１０−６を通じてサービスサイトにアクセスしたときに商品の購入やサービスの予約によるコンバージョンを成立させずに、サービスサーバ１２から離脱し、かつその後、バナー広告１０−１、１０−２、・・・１０−６を経由せずに直接サービスサイトにアクセスする場合であっても、トラッキング処理を行うことができる。端末装置４は、たとえば、メインページ４２や商品ごとの別ページ４４に対して図示しないブックマークを設定することで、２回目以降、指定したページに直接アクセスしてくる場合がある。宣伝管理システム２では、たとえばサービスサーバ１２にアクセスしたときに、メインページ４２またはアフィリエイトページ９０に強制的に移動させ、トラッキング処理を実行させればよい。
【００９９】
また、端末装置４のブラウザ４０には、前回付与されたユーザ判別情報、前回の識別情報が記憶されているが、前回アクセス時の経過情報が記憶され、もしくは経過情報が時間経過などにより削除されている場合がある。この場合、アフィリエイトサーバ１４は、ユーザ判別情報に基づいて、トラッキングＤＢ６０に格納されたユーザの情報を読み出す。このユーザの情報には、前回の経過情報であるメディアＩＤなどが格納されている。従って、このユーザがコンバージョンした場合、アフィリエイトサーバ１４は、今回のトラッキング処理で得られなかったメディアサイトの経過情報について、トラッキングＤＢ６０に格納された前回またはそれよりも前の経過情報を利用して、宣伝の成果情報を生成してもよい。
【０１００】
斯かる処理によれば、高額もしくは検討に時間を要する分野の商品やサービスについて、最初の閲覧から購入までにウェブサイトを離脱してセッションが切れたとしても、バナー広告１０によって誘導され、その宣伝効果を把握することが可能となる。
【０１０１】
(2) 上記実施形態では、メディアサイト６に設定されたバナー広告１０−１、１０−２、・・・１０−６に対し、ユーザの端末装置４を導いてブラウザ４０に表示させるランディングポイントとして、予め設定されたメインページ４２を表示させる場合を示したがこれに限らない。サービスサーバ１２は、たとえば同一または異なるメディアサイト６に配置された異なるバナー広告１０−１、１０−２、・・・１０−Ｘが同一のメインページ４２にリンクが設定されている場合に、ユーザの端末装置４が経由したバナー広告１０−１、１０−２、・・１０−Ｘに応じて、ユーザ毎にメインページ４２の表示内容を変更させるようにしてもよい。
【０１０２】
サービスサーバ１２には、たとえばメインページ４２の構成情報として、背景色、複数の商品、これらの商品を当て嵌めるフォーマット情報似加えて、リンクされているバナー広告情報が記憶されている。さらにサービスサーバ１２は、メインページ４２に対するリンクが設定されたバナー広告情報毎に異なるフォーマット情報と背景色情報とを関連付けた組み合せ情報を備える。これにより端末装置４のブラウザ４０は、たとえばメディア１にあるバナー広告１０−１、１０−２、１０−３を選択した場合と、メディア２にあるバナー広告１０−４、１０−５、１０−６を選択した場合とで、異なる構成のメインページ４２が表示される。
【０１０３】
斯かる構成によれば、メディアサイト６の背景色やバナー広告の配置数、配置状態などの条件に応じて、ラインディングさせるメインページ４２に対するユーザの印象を変えることができる。ユーザの印象として、たとえばメディアサイトが明るい背景色であったときに、メインページ４２の背景色を同じ系統の明るい配色にしたり、逆に暗い配色に調整することで、サービスサイトを目視するユーザに対し、購買意欲の向上や、落ち着いた雰囲気で商品を閲覧させるなどの印象を与えることができる。そのほか、メディアサイト６がバナー広告やその他の説明などで煩雑な印象であった場合に、サービスサイトに掲載させる商品数を少なくすることで、その表示構成のギャップなどの要素によって、ユーザに落ち着いた印象を与え、商品への興味や購買意欲の向上などに繋げることができる。さらに、サービスサーバ１２またはアフィリエイトサーバ１４は、たとえばバナー広告１０−１、１０−２、１０−３、・・・ごとにユーザの訪問数やコンバージョンの成立性などをカウントしておき、所定の基準を超えたバナー広告１０−１、１０−２、・・・１０−３を通じて訪問するユーザに対して商品の割引や特典の付加、ページの表示内容の変化などを行ってもよい。このように宣伝効果が優れたバナー広告１０−１、１０−２、・・・１０−３に対して特典を設けることで、メディアサイト６の宣伝活動を活性化させることができるとともに、ユーザの訪問数、コンバージョン数を伸ばすことが期待できる。
【０１０４】
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【符号の説明】
【０１０５】
２  宣伝管理システム
４  端末装置
６  メディアサイト
８  インターネット
１０、１０−１、１０−２、・・・１０−６  バナー広告
１２  サービスサーバ
１４  アフィリエイトサーバ
１６  識別情報収集部
１８  ユーザ判別機能部
２０  経過情報収集部
２２  ユーザ判別情報付与部
２４  通信部
２６  処理部
２８  記憶部
３０  識別情報処理機能部
３２  ユーザ判別情報生成部
３４  集計部
３６  ＤＢ
４０  ブラウザ
４２  メインページ
４４  別ページ
４６  コンバージョンページ
４６−Ｉ、４６−ＩＩ  完了ページ
５０、７０  識別情報
５２  経過情報
５４  ユーザ判別情報
５６  広告主ＩＤ
５８  商品情報
６０  トラッキングＤＢ
６０１、６２１  インデックス部
６０２  ユーザ判別情報部
６０３  メディアＩＤ部
６０４  サービスサイトＩＤ部
６０５  広告Ｎｏ部
６０６  発行日情報部
６０７  コンバージョン日部
６０８  使用済み日時部
６２  商品のアフィリエイトＤＢ
６２２  サービスサイトＩＤ部
６２３  メディアＩＤ部
６２４  商品Ｎｏ部
６２５  商品名部
６２６  稼働フラグ部
６２７  報酬額部
６４  アフェリエイターＤＢ
６４１  アフェリエイターＩＤ部
６４２  メディア登録者名部
６４３  口座情報部
６４４  メールアドレス部
６４５  アフェリエイター情報部
６６  成果情報
８０  ユーザ判別機能部
９０  アフィリエイトページ
９２Ａ、９２Ｂ、・・・９２Ｎ  商品ページ
【要約】      （修正有）【課題】ユーザと取引を行わないアフィリエイトサーバをユーザの端末に直接アクセスさせずに、宣伝サイトによる宣伝効果の把握を実現する宣伝管理システム、宣伝管理装置及び宣伝管理プログラムを提供する。【解決手段】宣伝管理システム２は、第１のサイト６に掲載される広告表示を通じて第２のサイトに接続される端末装置４と、第２のサイトに接続した端末装置から少なくとも識別情報と経過情報を取得して、これらの情報を第２のサーバ１４に送信する第１のサーバ１２と、識別情報と経過情報を記憶部２８に記憶させ、ユーザ判別情報を生成して第１のサーバに送信し、端末装置に付与させる第２のサーバ１４と、を備える。第１のサーバは、端末装置が設定条件を満たしたことを契機に識別情報を取得して第２のサーバに送信する。第２のサーバは、識別情報と記憶部２８に格納された識別情報とを対比し、ユーザ判別情報の一致により成果情報を記憶部に記憶させる。【選択図】図１【図１】
0006937952.tif 000002
【図２】
0006937952.tif 000003
【図３】
0006937952.tif 000004
【図４】
0006937952.tif 000005
【図５】
0006937952.tif 000006
【図６】
0006937952.tif 000007
【図７】
0006937952.tif 000008
【図８】
0006937952.tif 000009
【図９】
0006937952.tif 000010
【図１０】
0006937952.tif 000011
【図１１】
0006937952.tif 000012
【図１２】
0006937952.tif 000013
【図１３】
0006937952.tif 000014
【図１４】
0006937952.tif 000015